(57)【要約】【課題】一度開封したらキャップを容器に再装着しても開封したことが明確に認知でき、分別廃棄がし易い、不正開封防止機能付き注出具を提供すること。【解決手段】注出具本体（20）は少なくとも筒状部（21）の外周に雄螺子（22）を有する螺子付き筒体を備え、筒体の下縁は外方に延び環状板（23）を形成させ、キャップ（10）を筒状部に螺着した際、キャップの裾部端縁が重なる周上に突起（24）を形成させ、環状板の外縁から外周壁（25）を立設させた構造からなり、キャップは内周に雌螺子（12）を有するキャップ本体（11）とその裾部下面に橋絡部（13）を介して連結される不正開封防止リング（14）からなり、該リングは橋絡部を有する複数に分割されたリング片（14a ）からなり、それぞれのリング片の下面に下ラチェット部（141 ）が上面に上ラチェット部（142 ）が形成され、筒状部（21）と外周壁（25）の間に不正開封防止リング（14）を保持させた。【選択図】図１
2006001556.tif 000002
【特許請求の範囲】
【請求項１】
注出口本体と、該注出口本体の筒状部に螺着されるキャップとからなる注出具であって、
前記注出口本体は、少なくとも筒状部の外周に雄螺子を有する螺子付き筒体を備え、筒体の下縁は外方に延びて環状板を形成させ、該環状板の、キャップを筒状部に螺着した際、キャップの裾部端縁が重なる周上に複数個の突起を形成させ、さらに、環状板の外縁から上方に環状の外周壁を立設させた構造からなり、
前記キャップは、内周面に雌螺子を有するキャップ本体と該キャップ本体の裾部下面に複数の橋絡部を介在させて連結される環状の不正開封防止リングからなり、
前記不正開封防止リングは、橋絡部を有する複数に分割されたリング片からなり、それぞれのリング片の下面には下ラチェット部が形成され、また、それぞれのリング片の上面にはキャップ本体の裾部下面に形成された切り欠きと係合する上ラチェット部が形成された構造からなり、
前記筒状部と環状の外周壁の間に、不正開封防止リングを保持させたことを特徴とする、不正開封防止機能付き注出具。
【請求項２】
前記注出口本体の外縁に設けた外周壁は、不正開封防止リングが外から視認できる高さに形成されていることを特徴とする、請求項１記載の不正開封防止機能付き注出具。
【請求項３】
前記環状板に設けた突起と、それに対応する不正開封防止リングの下面に設けた下ラチェット部とは、一か所に連続して複数個形成されていることを特徴とする、請求項１又は２記載の不正開封防止機能付き注出具。
【請求項４】
前記注出口本体と、該注出口本体の筒状部に螺着されるキャップとが、熱可塑性プラスチック樹脂から形成されていることを特徴とする、請求項１、２又は３記載の不正開封防止機能付き注出具。
【発明の詳細な説明】
【技術分野】
【０００１】
本発明は、プラスチックボトル、ガラスびんや紙製容器などに使用されるスクリュー式のプラスチックキャップを用いた注出具に関するものであり、特には、一度開封されると開封したことが明確に認知しうる不正開封防止機能付き注出具に関する。
【背景技術】
【０００２】
市場の店頭などにおいての商品の不正開封防止のために、特殊な構造を持つプラスチック製の注出具について多くの発明や考案がなされており、各種の注出具が商品に使用されてきた（例えば、特許文献１、特許文献２、特許文献３参照）。
【０００３】
上記先行技術文献を示す。  
【特許文献１】特開平５−４６４７号公報
【特許文献２】特開昭６０−１５８０４９号公報
【特許文献３】特開２００１−１１４３０９号公報。
【０００４】
しかし、特許文献１や特許文献２の発明は、不正開封防止リングが縦方向に切れることで開封の確認が可能となる。この場合、キャップを再度開栓したときに、該リングをもとの状態に近づけることで開封済の有無を目視で判断しにくくなる恐れがある。
【０００５】
また、特許文献３の発明は、不正開封防止リングがキャップ本体と分離して容器口部へ残る場合には、キャップを再封した時に、該リングを未開封時と同じようにキャップ本体に近接させることで開封済の有無が判別しにくいものである。加えて、不正開封防止リングが容器口部に残るためペットボトルなどの場合には分別廃棄がしにくく、また、紙製容器などの場合には容器を展開する際に、はさみ等で切る場合の障害となる。
【発明の開示】
【発明が解決しようとする課題】
【０００６】
本発明は、不正開封防止機能付き注出具に関する以上のような問題に鑑みてなされたもので、一度開封したらキャップを容器に再装着しても明確に開封したことが認知でき、容器の使用後の分別廃棄がし易い、不正開封防止機能付き注出具を提供することを課題とする。
【課題を解決するための手段】
【０００７】
本発明の請求項１の発明は、注出口本体と、該注出口本体の筒状部に螺着されるキャップとからなる注出具であって、前記注出口本体は、少なくとも筒状部の外周に雄螺子を有する螺子付き筒体を備え、筒体の下縁は外方に延びて環状板を形成させ、該環状板の、キャップを筒状部に螺着した際、キャップの裾部端縁が重なる周上に複数個の突起を形成させ、さらに、環状板の外縁から上方に環状の外周壁を立設させた構造からなり、前記キャップは、内周面に雌螺子を有するキャップ本体と該キャップ本体の裾部下面に複数の橋絡部を介在させて連結される環状の不正開封防止リングからなり、前記不正開封防止リングは、橋絡部を有する複数に分割されたリング片からなり、それぞれのリング片の下面には下ラチェット部が形成され、また、それぞれのリング片の上面にはキャップ本体の裾部下面に形成された切り欠きと係合する上ラチェット部が形成された構造からなり、前記筒状部と環状の外周壁の間に、不正開封防止リングを保持させたことを特徴とする、不正開封
防止機能付き注出具である。
【０００８】
このように請求項１記載の発明によれば、注出口本体は、少なくとも筒状部の外周に雄螺子を有する螺子付き筒体を備え、筒体の下縁は外方に延びて環状板を形成させ、該環状板の、キャップを筒状部に螺着した際、キャップの裾部端縁が重なる周上に複数個の突起を形成させ、さらに、環状板の外縁から上方に環状の外周壁を立設させた構造からなり、前記キャップは、内周面に雌螺子を有するキャップ本体と該キャップ本体の裾部下面に複数の橋絡部を介在させて連結される環状の不正開封防止リングからなり、前記不正開封防止リングは、橋絡部を有する複数に分割されたリング片からなり、それぞれのリング片の下面には下ラチェット部が形成され、また、それぞれのリング片の上面にはキャップ本体の裾部下面に形成された切り欠きと係合する上ラチェット部が形成された構造からなり、前記筒状部と環状の外周壁の間に、不正開封防止リングを保持させたので、注出口本体に不正開封防止機能付きキャップを開封しようと螺子に沿って回転させると、注出口本体の環状板上の突起と下リングの下ラチェット部が係合すると同時に、キャップ本体の切り欠きと不正開封防止リングの上ラチェット部が係合する。さらにキャップ本体を回転していくと、橋絡片に力がかかり橋絡片は切断され、その結果としてリングは複数のパーツに分解されて開封される。キャップ本体を再封するときに不正開封防止リングは分割されているため未開封の状態に戻すことはできない。すなわち、一度開封してしまうと未開封状態に戻すことはできない。
【０００９】
また、請求項２の発明は、請求項１の発明において、前記注出口本体の外縁に設けた外周壁は、不正開封防止リングが外から視認できる高さに形成されていることを特徴とする、不正開封防止機能付き注出具である。
【００１０】
このように請求項２に記載の発明によれば、注出口本体の外縁に設けた周壁は、不正開封防止リングが外から視認できる高さに形成されているので、外観から不正開封防止リングのあることが容易に判別できる。
【００１１】
また、請求項３の発明は、請求項１又は２の発明において、前記環状板に設けた突起と，それに対応する不正開封防止リングの下面に設けた下ラチェット部とは、一か所に連続して複数個形成されていることを特徴とする、不正開封防止機能付き注出具である。
【００１２】
このように請求項３に記載の発明によれば、環状板に設けた突起と、それに対応する不正開封防止リングの下面に設けた下ラチェット部とは、一か所に連続して複数個形成されているので、キャップを注出口本体の雄螺子に沿って回転させ閉めた際、不正開封防止リングの下面に設けた下ラチェット部と注出口本体の環状板に設けた突起とはしっかりと係合して、外れたりすることがない。
【００１３】
また、請求項４の発明は、請求項１、２又は３の発明において、前記注出口本体と、該注出口本体の筒状部に螺着されるキャップとが、熱可塑性プラスチック樹脂から形成されているとを特徴とする、不正開封防止機能付き注出具である。
【００１４】
このように請求項４記載の発明によれば、注出口本体と、該注出口本体の筒状部に螺着されるキャップとが、熱可塑性プラスチック樹脂から形成されているので、比較的安価で、性能の良い不正開封防止機能付きキャップを作製することができる。
【発明の効果】
【００１５】
このように本発明の不正開封防止機能付き注出具には以下に述べるような効果がある。
【００１６】
すなわち、上記のような構造にすることで、閉栓時の未開封性を容易に外観で判別する
ことが可能である．キャップや注出口本体の製造に特殊な工具、部品等が不用である．キャップの開栓時にも特殊な工具、部品等は不用で従来のキャッピング材が使用できる．不正開封防止リング注出口本体に残らないため、使用後の廃棄や回収が容易である。
【発明を実施するための最良の形態】
【００１７】
本発明を一実施形態に基づいて以下に詳細に説明する。
本発明の不正開封防止機能付き注出具は、例えば、図１、図２に示すように、注出口本体（２０）と、該注出口本体の筒状部（２１）に螺着されるキャップ（１０）とからなる注出具（１）である。
【００１８】
注出口本体（２０）やキャップ（１０）は、通常では、ポリプロピレン樹脂などの剛性を有する熱可塑性樹脂を射出成形して作製するものである。剛性を有する熱可塑性樹脂を使用することにより、比較的安価で、性能の良い不正開封防止機能付き注出具を作製することができる。
【００１９】
注出口本体（２０）は、少なくとも筒状部（２１）の外周に雄螺子（２２）を有する螺子付き筒体を備え、筒体の下縁は外方に延びて環状板（２３）を形成させ、環状板の、キャップを筒状部（２１）に螺着した際、キャップの裾部端縁が重なる周上に複数個の突起（２４）を形成させ、さらに、環状板の外縁から上方に環状の外周壁（２５）を立設させた構造からなっている。
【００２０】
なお、環状板をさらに外周壁を超えて外方に延ばし、図示するようにフランジ（２６）を形成させても良い。注出具を取り付ける容器が、例えば、紙製容器などの場合にはフランジ（２６）を設けることにより、注出具（１）をより強固に容器に取り付けることができる。
【００２１】
キャップ（１０）は、内周面に雌螺子（１２）を有するキャップ本体（１１）と、キャップ本体の裾部下面に複数の橋絡部（１３）を介在させて連結される環状の不正開封防止リング（１４）から構成される。
【００２２】
不正開封防止リング（１４）は、橋絡部（１３）を有する複数に分割されたリング片（１４ａ）からなり、それぞれのリング片の下面には下ラチェット部（１４１）が形成され、また、それぞれのリング片（１４ａ）の上面にはキャップ本体の裾部下面に形成された切り欠き（１５）と係合する上ラチェット部（１４２）が形成された構造からなっている。
【００２３】
そして、筒状部（２１）と環状の外周壁（２５）の間に、複数個に分割された不正開封防止リング（１４）を保持させている。
【００２４】
注出口本体（２０）の外縁に設けた外周壁（２５）を不正開封防止リング（１４）が外から視認できる高さに形成しておくことにより、外から不正開封防止リングのあることが容易に判別できる。
【００２５】
また、環状板（２３）の上面に設けた突起（２４）と、それに対応する不正開封防止リング（１４）の下面に設けた下ラチェット部（１４１）とを、一か所に連続して複数個形成されておくことにより、キャップを注出口本体の雄螺子に沿って回転させ閉めた際、不正開封防止リングの下面に設けた下ラチェット部と注出口本体の環状板に設けた突起とはしっかりと係合して、外れたりすることがない。
【００２６】
本発明の不正開封防止機能付き注出具（１）は、以上のような構造からなるものである
が、つぎにその開栓、閉栓の仕組みを説明する。
【００２７】
先ず、キャップを閉栓する際は、キャップ本体（１１）をその内周に設けた雌螺子（１２）に沿って回転させる。不正開封防止リング（１４）が注出口本体（２０）の外周壁（２５）と筒状部（２１）の間に入り込み、下ラチェット部（１４１）が環状板（２３）に設けられた突起（２４）と接触する。ついで、キャップ本体の天面と筒状部の先端縁が接触して閉栓は完了する。
【００２８】
このとき、不正開封防止リング（１４）の上部は注出口本体（２０）の外周壁（２５）より上にあり、外観から不正開封防止リング（１４）のあることが容易に判別できる。但し、該不正開封防止リングの下部は外周壁（２５）の内側にあるため、不正開封防止リングは輸送時の衝撃や外力により外れることがなく、また、意図的に不正開封防止リングを取り外すこともできない。
【００２９】
キャップを開栓する時は、キャップ本体（１１）をその内周に設けた雌螺子（１２）に沿って回転させる。この時、不正開封防止リングの下面の下ラチェット部（１４１）と注出口本体（２０）の環状板（２３）の上面に設けた突起（２４）が係合し、橋絡部（１３）が切断してキャップ本体（１１）と不正開封防止リング（１４）が分離する。
【００３０】
再閉栓時には、不正開封防止リング（１４）がないため未開封時と同じ外観形状にすることは困難で、開封したことが一目でわかる。
【図面の簡単な説明】
【００３１】
【図１】本発明の不正開封防止機能付き注出具を構成するキャップ本体と不正開封防止リング並びに不正開封防止キャップと螺合する注出口本体、それぞれの一実施例を示す、斜視説明図である。
【図２】本発明のキャップ本体と不正開封防止リングとからなるキャップが注出口本体に螺合した状態を示す、部分断面説明図である。
【図３】図２の不正開封防止機能付き注出具を一度開栓した後、閉栓した状態を示す、部分断面説明図である。
【符号の説明】
【００３２】
１‥‥注出具
１０‥‥キャップ
１１‥‥キャップ本体
１２‥‥雌螺子
１３‥‥橋絡部
１４‥‥不正開封防止リング
１４ａ‥リング片
１４１‥‥下ラチェット部
１４２‥‥上ラチェット部
１５‥‥切り欠き
２０‥‥注出口本体
２１‥‥筒状部
２２‥‥雄螺子
２３‥‥環状板
２４‥‥突起
２５‥‥外周壁
２６‥‥フランジ
【図１】
2006001556.tif 000003
【図２】
2006001556.tif 000004
【図３】
2006001556.tif 000005